(57)【特許請求の範囲】
【請求項１】
基台部（４）から中央に膨出しかつ半球形に成形された可撓性を有する充填部（２）を有し、前記基台部の外周に鍔状に延在する鍔部（５）を有し、前記基台部と前記鍔部とが形成する四方に外部より害虫が侵入する害虫侵入口（６）を有する成形容器（１）の前記充填部に、ゲル状毒餌剤及び／又は害虫誘引剤が充填され、前記成形容器の外周と略同一形状の外周を有する底板面（７）が、前記充填部の開口を覆うように貼着され、前記充填部に充填されたものが前記底板面で封止された状態で、冷却されてゲル化され、かつ取り出し可能に成形されたゲル状毒餌材。
【請求項２】
前記充填部の内面頂部及び／又は頂部近傍に凹凸状の溝を形成したことを特徴とする請求項１に記載のゲル状毒餌材。
【請求項３】
前記充填部の側面に所定角度のアール面を形成したことを特徴とする請求項１又は２に記載のゲル状毒餌材。
【発明の詳細な説明】
【０００１】
【発明の属する技術分野】
本発明はゴキブリやその他の害虫で家住性害虫の駆除用として用いられる毒餌材に関し、特に毒餌剤としてゲルタイプのゲル状毒餌剤を用いたものである。
【０００２】
【従来の技術】
近年、匍匐性害虫であるゴキブリやその他の害虫用毒餌剤には、その誘引性や喫食性をよくするためにゲルタイプのものが多く市販されている。
ゲル状毒餌剤は、通常、加熱溶融した調合液をゲル化させるために、成型容器に充填して冷却させる手段を用いている。
【０００３】
【発明が解決しようとする課題】
上述した製造手段では、加熱溶融した調合液をゲル化させるための成型容器の上面が常に平面となるため、この成形容器により製造された毒餌剤を害虫が喫食する場合、平面側から食べることになるため喫食性に問題がある。
そこで、本出願人は、毒餌剤の表面に変形箇所を設けることにより、喫食性を向上させることを提案している（特開平９−２９０５号公報）。
【０００４】
従来、毒餌剤を製造するためには、上述のように、成形容器に充填して固化させた後、成形容器から取り出し、毒餌剤を収納する毒餌容器に移し替えるという手段を採っている。従って、毒餌剤を製造するための専用の成形容器を必要とするとともに、成形容器により製造された毒餌剤を毒餌容器に移し替えなければならないため、製造工程が複雑になる。さらに、毒餌剤がゲル化しているため、これを成形容器から取り出す作業は容易ではない。
【０００５】
そこで本発明は、上記事情に鑑みてなされたもので、表面が非平滑化され、かつゲル化された毒餌剤を容易に取り出し得るゲル状毒餌材を提供することを目的とする。
【０００６】
【課題を解決するための手段】
本発明に係わるゲル状毒餌材は、基台部から中央に膨出しかつ半球形に成形された可撓性を有する充填部を有し、前記基台部の外周に鍔状に延在する鍔部を有し、前記基台部と前記鍔部とが形成する四方に外部より害虫が侵入する害虫侵入口を有する成形容器の前記充填部に、ゲル状毒餌剤及び／又は害虫誘引剤が充填され、前記成形容器の外周と略同一形状の外周を有する底板面が、前記充填部の開口を覆うように貼着され、前記充填部に充填されたものが前記底板面で封止された状態で、冷却されてゲル化され、かつ取り出し可能に成形されたものである。
【０００７】
さらに、前記充填部の内面頂部及び／又は頂部近傍に凹凸状の溝を形成したものである。
さらに、前記充填部の側面に所定角度のアール面を形成したものである。
【０００８】
本発明のゲル状毒餌材によれば、成形容器からゲル化した毒餌を取り出す場合、充填部を撓ませるだけで良いため、取り出し性が向上する。また、毒餌剤を製造するための専用容器を用いることなく用時取り出すまで、収容から保存、運搬までの一切を一つの容器で効率良く行うことができる。また、毒餌剤の移し替えの手間を一掃できる。さらに、取り出した毒餌剤は、喫食性に優れたものとなる。
【０００９】
さらに、充填部の内面頂部及び／又は頂部近傍に凹凸状の溝を形成することにより、毒餌剤の表面に凸凹状の溝が形成されるため、ゴキブリ等害虫の喫食性を向上させることができる。
さらに、充填部の側面に所定角度のアール面を形成することにより、毒餌剤の取り出し性が向上する。
【００１２】
本発明において、容器の素材としては、特に限定するものではないが、例えばポリ塩化ビニール、ポリエチレン、ポリプロピレン、ポリスチレン、ポリエステル、ポリカーボネートなどの合成樹脂、紙、不織布（スパンボンド）、合成紙、パルプを使用することができる。また、容器の成形方法としては、例えば真空、圧空または射出成形、エンボス加工等のプレス加工にて成形することができる。
【００１３】
また、本発明のゲル状毒餌剤は、本出願人により提案された誘引剤（特開平９−２０２７０１号公報）を挙げることができる。すなわち、水及びゲル化剤と、誘引効果を得るための糖分及び誘引効果を安定させるための繊維素とを混合し、加熱溶解して均質な溶液とし、この溶液を冷却してゲル組成物とすればよい。
この場合、ゲル化剤の添加量により、得られるゲル組成物のゲルの状態が大きく変わる。ゲル化剤の添加量は、そのゲル化剤の種類によっても変わるが、例えば、寒天の場合において、０．１〜３０重量％の範囲で用いられるが、０．１〜０．５重量％の場合に粘度が柔らかな粘ちょうな状態となり、また０．５〜３．０重量％の場合に固いゼリー状の状態となる。ゴキブリをはじめ、各種昆虫やその他の害虫は、粘ちょうな状態を好むから、そのような状態とすることが好ましい。
【００１４】
さらに、毒餌剤に各種の害虫防除成分を一緒に配合しても良く、その例を示すとダイアジノン、クロルピリホス、フェニトロチオン、マラチオン、トリクロルホンなどの有機リン系化合物、カルバリル、プロポクサーなどのカーバメイト系化合物、レスメトリン、パーメスリン、サイパーメスリン、サイフェノトリン、フェノトリン、シフェノトリン、トランスフルスリンなどのピレスロイド系化合物、さらにはスルフルアミドなどのアミド系化合物、メトキサジアゾンなどのオキサジアゾール系化合物、フィプロニールなどのピラゾール系化合物、メトプレン、ハイドロプレン、ピリプロキシフェン、フェノキシカルブなどの昆虫幼若ホルモン様化合物や昆虫キチン合成阻害化合物等などが挙げられる。
【００１５】
また、上記糖分としては、例えば果汁、ハチミツ、廃糖蜜、マルチトース、異性化糖、ショ糖、砂糖きび、パラチノース、トレハロース、シュクロース、ソホロース、コウジニオール、ツラノース、ラミナリビオース、ニゲエロース、マルトース、セロビオース、ラクトース、キシロビオース、ロイクロース、ゲンチオビオース、イソマルトース、メルビオース、ルチノース、プリムベロース、ビシアノース、ロビノース、Ｄ−グルコース、Ｎ−アセチル−Ｄ−グルコサミン、Ｄ−ガラクトース、Ｄ−ガラクツロン酸、Ｄ−マンノース、Ｄ−キシロース、Ｄ−フルクトース、Ｌ−アラビノース、Ｄ−グルクロン酸、Ｄ−グルコサミン、Ｌ−フルクトース等が挙げられる。これらは組み合わせて用いることができる。その糖分の種類や含有量を調整することにより、ゲル組成物における糖度を前記した範囲にあるように調節する。
【００１６】
ゲル組成物における糖度は、３０〜８０°の範囲とするが、５０〜８０°の範囲がより好ましく、６０〜８０°の範囲がさらにより好ましい。糖度が３０°より少ない場合には、害虫、特にゴキブリに対する誘引効力が十分に得ることができない場合があり、また８０°より高いとゲル組成物とする際に、ゲル化が不十分となり好ましくない。
【００１７】
ゲル化剤としては、害虫の誘引効力を阻害しないものであればよく、さらにはその誘引効力を助長するものであればなお良い。例えば、ペクチン、カラーギーナン、寒天、ゼラチン、ゼラチンゴム、アルギン酸ソーダ、グァガム、ジェランガム、ローカストビーンガム、カルボキシメチルセルロース、ポリアクリル酸、グルテン乳清タンパク質などが挙げられる。また、第二リン酸カルシウム、塩化カルシウム、塩化カリウム、乳酸カルシウム、グルコノデルラクトンなどの固化助剤を適宜加えることもできる。
【００１８】
繊維素としては、セルロースを含有する各種の物質、例えばコメ粉、麦粉などの穀粉、さつまいも粉のような芋類の粉、野菜類の粉などが使用できる。この他にもコンニャクなど元々繊維素を含むものを利用してもよい。繊維素の添加量は、ゲル組成物全体の０．１〜１０重量％の範囲、好ましくは０．５〜５重量％の範囲であり、ゲル組成物にこの繊維素が含有されることにより、ゲル組成物の表面糖度を高める作用があるだけではなく、ゲル組成物の表面状態を変化させるためか、害虫に対する誘引効力を高める作用を有する。ゴキブリの場合、その趣好性がある植物であるものから取り出した繊維素の方がより誘引効力があるのではないかと考えられる。その上、高い糖度を有するゲル組成物であっても表面のべとつきを抑制することが可能となった。
【００１９】
このゲル組成物には、必要により害虫に対する誘引効力を高める作用を有する物質として知られている各種添加剤を添加することができる。
例えば、食餌剤としては、動物性食餌成分と植物性食餌成分とがある。
前記の動物性食餌成分としては動物性タンパク質や動物性脂質などがある。これらは食餌の基材として用いることもできる。
【００２０】
動物性タンパク質としては、例えばアクチン、アルブミン、カゼイン、フィブリン、フィブリノーゲン、ケラチン、α−グロブリン、β−グロブリン、γ−グロブリン、ヘモグロビン、ラクトグロビン、ミオシン、ペプシン、ホスホリラーゼ、フィッシュソリュブル等、あるいは、イナゴ、バッタ、カマキリ、コオロギ、ハチ、アブラムシ、ゴキブリ、キリギリス、チョウ、ガ、ハエ、オキアミ、アカムシ、ミールワーム、魚のエサ（ミミズ、ゴカイなど）や、馬、羊、山羊、うさぎ、犬、猫、魚類、貝類、卵等から得られる成分、プロリン等の各種アミノ酸、動物性タンパク質の分解物等が挙げられる。
【００２１】
前記の植物性食餌成分としては、グリセロース、アミロース、アミロペクチン、でんぷん、でんぷん加水分解物等が挙げられる。
また、植物性タンパク質としては、エデスチン、ゼイン（トウモロコシ）、グリアジン、アラチン（落花生）、グロブリン（カボチャ種子、小麦フスマ）、グルテン（小麦）、ファゼオリン（ソラマメ）、大豆等から得られるもの等があげられる。
【００２２】
植物性油脂としてはどのようなものを用いても良く、植物油等の油状物（加温により油状となるものを含む）の中の少なくとも一種以上を適宜選択して用いれば良い。例えば、木ロウ、カカオ脂、ヤシ油、大風子油等の植物脂、ヒマシ油、オリーブ油、落花生油などの不乾性油、大豆油、トウモロコシ油、ナタネ油、ゴマ油、綿実油等の半不乾性油、アマニ油、キリ油、麻実油、エノ油などの乾性油が挙げられる。
【００２３】
また、摂食を促進する物質として、カボチャ、トウモロコシの乾燥体、マッシュルーム、シイタケ、コンブ、キャベツの粉末及びそのエキス単独もしくは混合物等があり、これらを前記植物性食餌成分と一緒に用いることもでき、前記の粉末はそれ自体植物性食餌成分として用いることもできる。
【００２４】
また、これらと併用できる害虫誘引物質としては、例示すれば、脂肪酸のメチルまたはエチルエステル、飽和または不飽和アルコール、非還元性デンプン加水分解物、シクロヘキシル基を持つカルボン酸エステル、芳香性を持つ脂肪酸ケトン、アルコール、アルデヒド、ラクトン、エステル、アロエまたはユーカリ植物およびその抽出物、炭素数７ないし９のケトン、バニリン、エチルバニリン、イソバニリン、ピペロナール、ピペロナールアセトン、２，６−ノナジエーテルなど、また例えば道しるべフェロモンとして知られるもの、すなわち、（３Ｓ，４Ｒ，６Ｅ，１０Ｚ）−３，４，７，１１−テトラメチル−トリデカ−６，１０−ジエナール、（Ｚ）−９−ヘキサデセナール、２，５−ジメチルピラジン、３−メチル−２，５−ジメチルピラジン、Ｚ，Ｅ−α−フラネセン、Ｅ，Ｅ−α−フラネセンなどが挙げられ、その使用量は０〜５ｗｔ％である。
【００２５】
さらに、各種の着色剤を添加することができる。
また、固化剤としてはオニソン酸等、ｐＨ調整剤としてクエン酸等を使用することができる。
【００２６】
【発明の実施の形態】
以下、本発明の実施の形態を図面を参照して説明する。
図１はゲル状毒餌材を構成する成型容器の上面図、図２は図１のＭ−Ｎ破断線による断面側面図、図３は図１の成型容器に取り付けられる底面板の上面図、図４は毒餌剤の製造工程を示している。また、図５はゲル状毒餌剤容器の斜視図、図６は別の成型容器を用いたゲル状毒餌剤容器の斜視図、図７は内面全域に凹凸状の溝を設けた成型容器を用いたゲル状毒餌剤容器の斜視図を示している。
【００２７】
本発明のゲル状毒餌材は図１及び図２に示す成型容器１を備える。成型容器１は、中央に膨出した充填部２を有し、この充填部２は楕円半球形に成形されており、側面には凹凸状の溝３が複数個設けてある。この凹凸状の溝３は隣り合った溝の一方が凹で他方が凸となった溝でアール面をもって形成されている。また、充填部２の下側の内側面には複数のリブが突設されており、これにより、充填部２内に充填された後述するゲル状毒餌剤が天地逆転した場合でも充填部２から脱落する事態が回避される。
【００２８】
上述した充填部２の下側にはアール面で形成された基台部４が一体的に設けてある。この基台部４の高さｂは充填部２の高さａと略々等しく、充填部２を中心として四方に延設され、その周辺には長方形状に形成された鍔部５に延設されている。充填部２を中心に四方に延設された基台部４は、その延設部分近傍に影が形成される所謂シェルタ効果を生むため、喫食性を向上させることができる。
【００２９】
また、基台部４と鍔部５の形成する四辺には、略々各辺の中央位置に楕円形状に打ち抜貫かれた害虫侵入口６が設けてある。
なお、基台部４の高さｂと充填部２の高さａとを略等しくする他（ａ＝ｂ）、基台部４の高さｂを充填部２の高さａよりも低くするようにしても良い（ｂ＜ａ）。充填部２の高さａ及び基台部４の高さｂを上述のように選択することにより、毒餌剤を基台部４の定位置に確実に置くことができる。さらに、充填部２の下側に形成された基台部４において、充填部２の周囲に窪みを形成し、実質的に充填部２の高さａを延長するようにしても良い。
【００３０】
また、鍔部５の下側面には図３に示す底面板７が貼着されるようになっており、上述した成型容器１の下側面に底面板７を貼着することにより成型容器１は毒餌剤容器として使用することが出来るように構成されている。
【００３１】
以下、図４を参照してゲル状毒餌材の使用方法について説明する。
先ず、成型容器１を裏返した状態にして、例えば、コンベアで搬送し、調合液注入位置で充填部２に調合液を充填する（図４（ａ））。
次に、底面抜取付位置にて成型容器１の鍔部５に底面板７を貼着させる（図４（ｂ））。その後、液充填部２に充填された調合液を冷却し、ゲル状態にする。この状態で流通段階に入る。
【００３２】
使用時には、底面板７を底にして、充填部２の頂部を手指で押し下げることにより充填部２が変形して内側面に固化していたゲル状毒餌剤が基台部４に囲まれた底面板７上に落ちる。
上述のように、成形容器の充填部に調合液を充填し、その後、底板面で封止した状態で、充填部内の調合液を冷却したゲル化し、使用時には、ゲル化した毒餌剤を充填部から落下させることにより、毒餌剤の製造から使用迄を同一容器で一貫作業とすることができる。
【００３３】
以下、図５を参照して本発明に係るゲル状毒餌剤容器について参考例として説明する。ゲル状毒餌剤容器８は、図４に示した工程により製造される毒餌剤に利用することができ、図１及び図２の成型容器１に図３の底面板７を取り付けたものである。ゲル状毒餌剤容器８の主構成をなす成形容器１は、先の図１及び図２において説明したように、中央に膨出した充填部２を有し、この充填部２は楕円半球形に成形されており、側面には凹凸状の溝３が複数個設けてある。この凹凸状の溝３は隣り合った溝の一方が凹で他方が凸となった溝でアール面をもって形成されている。このアール面は、その角度を大きくすることにより、充填部２中の毒餌剤の取り出し性を向上させることができる。
【００３４】
充填部２の下側にはアール面で形成された基台部４が一体的に設けてある。この基台部４の高さ方向は充填部２の高さと略々等しく、充填部２を中心として四方に延設され、その周辺には長方形状に形成された鍔部５に延設されている。この基台部４と鍔部５の形成する四辺には、略々各辺の中央位置に楕円形状に打ち抜貫かれた害虫侵入口６が設けてある。
【００３５】
前記鍔部５の下側面には図３に示す底面板７が貼着されるようになっており、上述した成型容器１の下側面に底面板７を貼着することにより成型容器１は毒餌剤容器として使用することが出来るように構成されている。
【００３６】
ゲル状毒餌剤容器８により製造されたゲル状毒餌剤は、その表面に充填部２内に設けられた凹凸状の溝３によって凸凹状に成形された面が出来ており、害虫侵入口６より侵入した害虫の喫食性を良好にするようになった状態で置かれ、毒餌剤の成分が手指等に触れることなく保持される。
【００３７】
上述したゲル状毒餌剤容器８は充填部２を楕円半球体形に形成し充填部２の内面頂部に凹凸状の溝３を設けたものであるが、充填部２の形状及び凹凸状の溝３の付け方はこれに留まるものではなく後述する別の形状のものも考えられるものである。
【００３８】
すなわち、図６に示すものは充填部２Ａを半球状に形成し、頂部近傍に凹凸状の溝３Ａを設けたもので、基台部４、鍔部５、害虫侵入口６及び底面板７は上述したものと同じ構成を踏襲したゲル状毒餌剤容器８Ａである。
このゲル状毒餌剤容器８Ａは充填部２の溝方向を挟んで左右方向より例えば拇指と人差指と上から押さえて挟むように加圧すれば容易にゲル状毒餌剤を底面板７上に落下させることができる。
【００３９】
また、図７に示すものは、充填部２Ｂを円錐台状に形成し、内面全域に凹凸状の溝３Ｂを設けたもので、基台部４、鍔部５、害虫侵入口６及び底面板７は上述したものと同じ構成としたゲル状毒餌剤容器８Ｂである。
このゲル状毒餌剤容器８Ｂは充填部２Ｂの上面を押圧することで充填部２Ｂ内でゲル状になった毒餌剤を容易に底面板７上に落下させることができる。
【００４０】
【発明の効果】
以上説明したように、本発明のゲル状毒餌材によれば、成形容器からゲル化した毒餌を取り出す場合、充填部を撓ませるだけで良いため、取り出し性が向上する。また、毒餌剤を製造するための専用容器を用いることなく用時取り出すまで、収容から保存、運搬までの一切を一つの容器で効率良く行うことができる。また、毒餌剤の移し替えの手間を一掃できる。さらに、取り出した毒餌剤は、喫食性に優れたものとなる。また、毒餌剤が害虫侵入口より侵入した害虫の喫食性を良好にするようになった状態で置かれるとともに、毒餌剤の成分が手指等に触れることなく保持される。
【図面の簡単な説明】
【図１】本発明の実施の形態を示すゲル状毒餌材の成型容器の上面図である。
【図２】図１の成型容器のＭ−Ｎ破断線による断面側面図である。
【図３】図１の成型容器の底面に取り付けられる底面板の上面図である。
【図４】ゲル状毒餌材の使用方法を示す工程図である。
【図５】図１の成型容器と図３の底面板とを貼着したゲル状毒餌剤容器の斜視図である。
【図６】本発明の別の実施の形態を示すゲル状毒餌剤容器の斜視図である。
【図７】本発明の他の実施の形態を示すゲル状毒餌剤容器の斜視図である。
【符号の説明】
１    成型容器
２    充填部
３    凹凸状の溝
８    ゲル状毒餌剤容器
【図１】
0003889141.tif 000002
【図２】
0003889141.tif 000003
【図３】
0003889141.tif 000004
【図４】
0003889141.tif 000005
【図５】
0003889141.tif 000006
【図６】
0003889141.tif 000007
【図７】
0003889141.tif 000008